(57)【要約】  温度推移特定装置は、例えば記憶部（５０）、変動算出部（５１）、及び推移特定部（５２）を備える。記憶部（５０）に、エレベーターの診断運転において計測された値が記憶される。変動算出部（５１）は、記憶部（５０）に記憶された値の経時変化から長期変動成分を除去することにより、経時変化の季節変動成分を算出する。推移特定部（５２）は、変動算出部（５１）によって算出された経時変化の季節変動成分とエレベーター空間の温度の実測値とに基づいて、エレベーター空間の温度推移を特定する。
2019244245.tif 000002
【特許請求の範囲】
【請求項１】
特定の機器を用いてエレベーターのかごが特定の動作を行う診断運転において計測された値を記憶する記憶手段と、
前記記憶手段に記憶された値の経時変化から長期変動成分を除去することにより、前記経時変化の季節変動成分を算出する算出手段と、
前記算出手段によって算出された前記経時変化の季節変動成分とエレベーター空間の温度の実測値とに基づいて、前記エレベーター空間の温度推移を特定する第１特定手段と、
を備えた温度推移特定装置。
【請求項２】
前記機器はバッテリーであり、
前記診断運転において、前記バッテリーからの電力で前記かごが特定の走行を行い、
前記記憶手段に、前記診断運転において計測された前記バッテリーの最小電圧値が記憶された請求項１に記載の温度推移特定装置。
【請求項３】
前記機器は、前記かごを静止保持するためのブレーキ装置であり、
前記診断運転において、前記かごが特定の第１速度で移動している時に前記ブレーキ装置が動作し、
前記記憶手段に、前記診断運転において計測された前記かごの移動距離が記憶され、
前記移動距離は、前記ブレーキ装置が動作してから前記かごが停止するまでに前記かごが移動した距離である請求項１に記載の温度推移特定装置。
【請求項４】
前記機器は、前記かごが基準速度より速い速度で終端階に進入すると前記かごを強制的に停止させる安全装置であり、
前記診断運転において、前記かごが前記基準速度より速い第２速度で前記終端階に進入し、
前記記憶手段に、前記診断運転において計測された前記かごの移動距離が記憶され、
前記移動距離は、前記安全装置が動作してから前記かごが停止するまでに前記かごが移動した距離である請求項１に記載の温度推移特定装置。
【請求項５】
請求項１から請求項４の何れか一項に記載の温度推移特定装置と、
前記第１特定手段によって特定された温度推移と前記かごの走行履歴とに基づいて、前記エレベーター空間に配置された部品の寿命を算出する第２算出手段と、
前記第２算出手段が算出した寿命に基づいて、前記部品の点検時期又は交換時期を判定する判定手段と、
を備えた保守計画システム。
【請求項６】
請求項１から請求項４の何れか一項に記載の温度推移特定装置と、
前記第１特定手段によって特定された温度推移に基づいて、前記エレベーター空間が属する環境カテゴリーを決定するカテゴリー決定部と、
前記カテゴリー決定部によって決定された環境カテゴリーに基づいて、前記エレベーター空間に配置された部品の点検時期又は交換時期を判定する判定手段と、
を備えた保守計画システム。
【請求項７】
請求項１から請求項４の何れか一項に記載の温度推移特定装置と、
前記第１特定手段によって特定された温度推移及び外気温度の差に基づいて、前記エレベーター空間が属する環境カテゴリーを決定するカテゴリー決定部と、
前記カテゴリー決定部によって決定された環境カテゴリーに基づいて、前記エレベーター空間の湿度推移を特定する第２特定手段と、
前記第１特定手段によって特定された温度推移と前記第２特定手段によって特定された湿度推移と前記かごの走行履歴とに基づいて、前記エレベーター空間に配置された部品の寿命を算出する第２算出手段と、
前記第２算出手段が算出した寿命に基づいて、前記部品の点検時期又は交換時期を判定する判定手段と、
を備えた保守計画システム。
【請求項８】
エレベーターのかごと、
特定の機器と、
開始条件が成立すると診断運転を開始し、前記機器を用いて前記かごに特定の動作を行わせる運転制御手段と、
前記診断運転において特定の値を計測する計測手段と、
前記計測手段によって計測された値を記憶する記憶手段と、
前記記憶手段に記憶された値の経時変化から長期変動成分を除去することにより、前記経時変化の季節変動成分を算出する算出手段と、
前記算出手段によって算出された前記経時変化の季節変動成分とエレベーター空間の温度の実測値とに基づいて、前記エレベーター空間の温度推移を特定する特定手段と、
を備えたエレベーターシステム。
【請求項９】
前記機器はバッテリーであり、
前記運転制御手段は、前記診断運転において、前記バッテリーからの電力で前記かごに特定の走行を行わせ、
前記計測手段は、前記バッテリーの電圧値を計測し、
前記記憶手段に、前記診断運転において前記計測手段によって計測された最小電圧値が記憶される請求項８に記載のエレベーターシステム。
【請求項１０】
前記機器は、前記かごを静止保持するためのブレーキ装置であり、
前記運転制御手段は、前記診断運転において、前記かごが特定の第１速度で移動している時に前記ブレーキ装置を動作させ、
前記計測手段は、前記診断運転において前記ブレーキ装置が動作してから前記かごが停止するまでに前記かごが移動した距離を計測し、
前記記憶手段に、前記計測手段によって計測された距離が記憶される請求項８に記載のエレベーターシステム。
【請求項１１】
前記機器は、前記かごが基準速度より速い速度で終端階に進入すると前記かごを強制的に停止させる安全装置であり、
前記運転制御手段は、前記診断運転において、前記かごを前記基準速度より速い第２速度で前記終端階に進入させ、
前記計測手段は、前記診断運転において前記安全装置が動作してから前記かごが停止するまでに前記かごが移動した距離を計測し、
前記記憶手段に、前記計測手段によって計測された距離が記憶される請求項８に記載のエレベーターシステム。
【請求項１２】
保守員が携帯する保守端末に備えられた温度計と、
前記保守端末が前記エレベーター空間に存在する時に前記温度計によって計測された温度の実測値を取得する取得手段と、
を更に備え、
前記取得手段によって取得された温度の実測値が前記記憶手段に記憶される請求項８から請求項１１の何れか一項に記載のエレベーターシステム。
【発明の詳細な説明】
【技術分野】
【０００１】
この発明は、温度推移特定装置、保守計画システム及びエレベーターシステムに関する。
【背景技術】
【０００２】
特許文献１に、エレベーターが記載されている。特許文献１に記載されたエレベーターは温度計を備える。温度計によって、蓄電池の温度が計測される。温度計によって計測された値に基づいて、蓄電池の寿命の進行度が算出される。
【先行技術文献】
【特許文献】
【０００３】
【特許文献１】日本特開２００６−３１２５２８号公報
【発明の概要】
【発明が解決しようとする課題】
【０００４】
エレベーターに備えられた部品の劣化は、温度によって進み具合が異なる。特許文献１に記載されたエレベーターでは、蓄電池の温度を計測するために温度計が用いられる。温度計を常設する場合は、温度計が正しく機能するように温度計を適切に管理しなければならない。このため、エレベーターの保守員による保守項目が増え、手間がかかるといった問題があった。【０００５】
この発明は、上述のような課題を解決するためになされた。この発明の目的は、新たな計測器を常設する必要がなく、エレベーター空間の温度推移を特定することができる温度推移特定装置を提供することである。この発明の他の目的は、このような温度推移特定装置を利用した保守計画システムを提供することである。この発明の他の目的は、新たな計測器を常設する必要がなく、エレベーター空間の温度推移を特定することができるエレベーターシステムを提供することである。
【課題を解決するための手段】
【０００６】
この発明に係る温度推移特定装置は、特定の機器を用いてエレベーターのかごが特定の動作を行う診断運転において計測された値を記憶する記憶手段と、記憶手段に記憶された値の経時変化から長期変動成分を除去することにより、経時変化の季節変動成分を算出する算出手段と、算出手段によって算出された経時変化の季節変動成分とエレベーター空間の温度の実測値とに基づいて、エレベーター空間の温度推移を特定する第１特定手段と、を備える。【０００７】
この発明に係る保守計画システムは、上記温度推移特定装置と、第１特定手段によって特定された温度推移とかごの走行履歴とに基づいて、エレベーター空間に配置された部品の寿命を算出する第２算出手段と、第２算出手段が算出した寿命に基づいて、部品の点検時期又は交換時期を判定する判定手段と、を備える。【０００８】
また、この発明に係る保守計画システムは、上記温度推移特定装置と、第１特定手段によって特定された温度推移に基づいて、エレベーター空間が属する環境カテゴリーを決定するカテゴリー決定部と、カテゴリー決定部によって決定された環境カテゴリーに基づいて、エレベーター空間に配置された部品の点検時期又は交換時期を判定する判定手段と、を備える。【０００９】
また、この発明に係る保守計画システムは、上記温度推移特定装置と、第１特定手段によって特定された温度推移及び外気温度の差に基づいて、エレベーター空間が属する環境カテゴリーを決定するカテゴリー決定部と、カテゴリー決定部によって決定された環境カテゴリーに基づいて、エレベーター空間の湿度推移を特定する第２特定手段と、第１特定手段によって特定された温度推移と第２特定手段によって特定された湿度推移とかごの走行履歴とに基づいて、エレベーター空間に配置された部品の寿命を算出する第２算出手段と、第２算出手段が算出した寿命に基づいて、部品の点検時期又は交換時期を判定する判定手段と、を備える。【００１０】
この発明に係るエレベーターシステムは、エレベーターのかごと、特定の機器と、開始条件が成立すると診断運転を開始し、機器を用いてかごに特定の動作を行わせる運転制御手段と、診断運転において特定の値を計測する計測手段と、計測手段によって計測された値を記憶する記憶手段と、記憶手段に記憶された値の経時変化から長期変動成分を除去することにより、経時変化の季節変動成分を算出する算出手段と、算出手段によって算出された経時変化の季節変動成分とエレベーター空間の温度の実測値とに基づいて、エレベーター空間の温度推移を特定する特定手段と、を備える。
【発明の効果】
【００１１】
例えば、この発明に係る温度推移特定装置は、記憶手段、算出手段、及び特定手段を備える。算出手段は、記憶手段に記憶された値の経時変化から長期変動成分を除去することにより、経時変化の季節変動成分を算出する。特定手段は、算出手段によって算出された経時変化の季節変動成分とエレベーター空間の温度の実測値とに基づいて、エレベーター空間の温度推移を特定する。この発明によれば、新たな計測器を常設する必要がなく、エレベーター空間の温度推移を特定することができる。
【図面の簡単な説明】
【００１２】
【図１】実施の形態１におけるエレベーターシステムの例を示す図である。
【図２】エレベーターに備えられた機器の接続例を示す図である。
【図３】制御装置の動作例を示すフローチャートである。
【図４】制御装置の他の動作例を示すフローチャートである。
【図５】保守端末の例を示す図である。
【図６】データセンターの動作例を示すフローチャートである。
【図７】データセンターの他の動作例を示すフローチャートである。
【図８】バッテリーの最小電圧値の経時変化を示す図である。
【図９】推移特定部の機能を説明するための図である。
【図１０】データセンターの他の例を示す図である。
【図１１】データセンターの動作例を示す図である。
【図１２】データセンターの他の例を示す図である。
【図１３】データセンターの他の動作例を示す図である。
【図１４】データセンターの他の例を示す図である。
【図１５】データセンターの他の動作例を示す図である。
【図１６】推移特定部の機能を説明するための図である。
【図１７】制御装置のハードウェア資源の例を示す図である。
【図１８】制御装置のハードウェア資源の他の例を示す図である。
【発明を実施するための形態】
【００１３】
添付の図面を参照し、本発明を説明する。重複する説明は、適宜簡略化或いは省略する。各図において、同一の符号は同一の部分又は相当する部分を示す。
【００１４】
実施の形態１．
図１は、実施の形態１におけるエレベーターシステムの例を示す図である。図１に示すエレベーターシステムは、エレベーター１、及びデータセンター２を備える。エレベーター１とデータセンター２とは、通信ネットワーク３を介して通信が可能である。エレベーター１とデータセンター２とが通信を行う方式は、如何なる方式であっても良い。図２は、エレベーター１に備えられた機器の接続例を示す図である。
【００１５】
エレベーター１は、例えばかご１０及びつり合いおもり１１を備える。かご１０は、昇降路１２を上下に移動する。つり合いおもり１１は、昇降路１２を上下に移動する。かご１０及びつり合いおもり１１は、主ロープ１３によって昇降路１２に吊り下げられる。
【００１６】
巻上機１４は、駆動綱車１５、電動機１６、及びブレーキ装置１７を備える。駆動綱車１５に主ロープ１３が巻き掛けられる。電動機１６は、駆動綱車１５を駆動する。電動機１６は、制御装置１８によって制御される。即ち、制御装置１８は、駆動綱車１５の回転及び停止を制御する。駆動綱車１５の回転に応じてかご１０は移動する。駆動綱車１５が回転していなければ、かご１０は停止する。電動機１６の回転軸にエンコーダ（図示せず）が設けられる。電動機１６が回転すると、回転方向及び回転角度を示す回転信号がエンコーダから出力される。エンコーダから出力された回転信号は、制御装置１８に入力される。
【００１７】
ブレーキ装置１７は、かご１０を静止保持するための装置である。ブレーキ装置１７は、制御装置１８によって制御される。通常運転では、ブレーキ装置１７は、駆動綱車１５が停止してから動作する。ブレーキ装置１７が動作すると、駆動綱車１５に連動する部材に対して、駆動綱車１５の回転を阻止するように力が加えられる。
【００１８】
調速機１９は、かご１０の下降速度が特定の第１基準速度を超えると、かご１０に備えられた非常止め２０を動作させる。調速機１９は、例えば調速ロープ２１、調速綱車２２、及び張り車２３を備える。調速ロープ２１は、かご１０に連結される。調速ロープ２１は、調速綱車２２及び張り車２３に巻き掛けられる。かご１０が移動すると、調速ロープ２１が移動する。調速ロープ２１が移動すると、調速綱車２２及び張り車２３が回転する。調速綱車２２の回転軸にエンコーダが設けられても良い。この場合、調速綱車２２の回転方向及び回転角度を示す回転信号がエンコーダから出力される。エンコーダから出力された回転信号は、制御装置１８に入力される。
【００１９】
安全装置２４は、例えば昇降路１２に設けられる。安全装置２４は、かご１０が特定の第２基準速度より速い速度で終端階に進入した際に、かご１０を強制的に停止させる。図１に示す例では、かご１０が第２基準速度より速い速度で特定の位置を上方に通過すると、安全装置２４が動作する。安全装置２４が動作すると電動機１６の減速が強制的に開始される。これにより、駆動綱車１５が停止する。即ち、かご１０が停止する。
【００２０】
バッテリー２５は、停電時にかご１０にいる乗客を最寄り階に降ろすために使用される。例えば、停電が発生すると、バッテリー２５からの電力が制御装置１８、巻上機１４、及びかご１０に供給される。
【００２１】
通信装置２６は、データセンター２と通信する。通信装置２６は、制御装置１８に接続される。通信装置２６がデータセンター２と通信を行う方式は、如何なる方式であっても良い。
【００２２】
図１は、巻上機１４、制御装置１８、バッテリー２５、及び通信装置２６が昇降路１２に設けられる例を示す。エレベーター１が機械室を備える場合、巻上機１４、制御装置１８、バッテリー２５、及び通信装置２６は、機械室に設けられても良い。巻上機１４、制御装置１８、バッテリー２５、及び通信装置２６の一部が機械室に設けられても良い。
【００２３】
図２に示すように、制御装置１８は、例えば運転制御部３０、計測部３１、及び温度取得部３２を備える。以下に、図３及び図４も参照し、制御装置１８が備える機能について説明する。図３は、制御装置１８の動作例を示すフローチャートである。
【００２４】
制御装置１８では、開始条件が成立したか否かが判定される（Ｓ１０１）。開始条件は、診断運転を開始するための条件である。開始条件は、予め設定される。開始条件が成立していなければ、運転制御部３０は、例えば通常運転を制御する。通常運転では、運転制御部３０は、登録された呼びにかご１０を順次応答させる。
【００２５】
一例として、診断運転は定期的に行われる。例えば、毎月１０日の午前１時になると、開始条件が成立する。他の例として、診断運転は不定期に行われる。例えば、通信装置２６が外部から特定の信号を受信すると、開始条件が成立する。開始条件が成立すると、運転制御部３０は、診断運転を開始する（Ｓ１０２）。診断運転は、エレベーター１に備えられた機器に異常があるか否かを判定するために行なわれる。
【００２６】
運転制御部３０は、例えば、診断運転において特定の機器を用いてかご１０に特定の動作を行わせる。計測部３１は、診断運転において特定の値を計測する（Ｓ１０３）。例えば、計測部３１は、かご１０の動作に関する値或いは上記機器に関する値を計測する。計測部３１によって計測された値は、異常の有無を判定するために使用される。
【００２７】
一例として、運転制御部３０は、診断運転においてバッテリー２５を用いてかご１０に特定の動作を行わせる。例えば、運転制御部３０は、バッテリー２５からの電力により、かご１０に特定の走行を行わせる。診断運転において上記特定の走行が行われている間、バッテリー２５の電圧値が計測部３１によって計測される。計測部３１によって計測されたバッテリー２５の最小電圧値Ｖｍｉｎが基準値を下回ると、異常が判定される。
【００２８】
他の例として、運転制御部３０は、診断運転においてブレーキ装置１７を用いてかご１０に特定の動作を行わせる。例えば、運転制御部３０は、かご１０を特定の方向に特定の速度で移動させる。運転制御部３０は、かご１０が上記特定の速度で移動している時に、ブレーキ装置１７を動作させる。ブレーキ装置１７が動作するとかご１０が減速を開始し、その後にかご１０は停止する。計測部３１は、ブレーキ装置１７が動作してからかご１０が停止するまでにかご１０が移動した距離を計測する。以下においては、この距離のことを移動距離Ｌ１とも表記する。例えば、移動距離Ｌ１の計測は、電動機１６の回転軸に設けられたエンコーダからの回転信号に基づいて行われる。調速綱車２２の回転軸にエンコーダが設けられる場合は、移動距離Ｌ１の計測は、調速綱車２２の回転軸に設けられたエンコーダからの回転信号に基づいて行われても良い。計測部３１によって計測された移動距離Ｌ１が基準値を上回ると、異常が判定される。
【００２９】
他の例として、運転制御部３０は、診断運転において安全装置２４を用いてかご１０に特定の動作を行わせる。例えば、運転制御部３０は、かご１０を第２基準速度より速い特定の速度で終端階に進入させる。これにより、安全装置２４が動作する。計測部３１は、安全装置２４が動作してからかご１０が停止するまでにかご１０が移動した距離を計測する。以下においては、この距離のことを移動距離Ｌ２とも表記する。例えば、移動距離Ｌ２の計測は、電動機１６の回転軸に設けられたエンコーダからの回転信号に基づいて行われる。調速綱車２２の回転軸にエンコーダが設けられる場合は、移動距離Ｌ２の計測は、調速綱車２２の回転軸に設けられたエンコーダからの回転信号に基づいて行われても良い。計測部３１によって計測された移動距離Ｌ２が基準値を上回ると、異常が判定される。
【００３０】
診断運転が終了すると（Ｓ１０４）、計測部３１による計測値がデータセンター２に送信される（Ｓ１０５）。データセンター２に送信される計測値には、例えば、最小電圧値Ｖｍｉｎ、移動距離Ｌ１、及び移動距離Ｌ２が含まれる。なお、異常の有無を判定する機能は、エレベーター１が備えても良いし、データセンター２が備えても良い。上記判定機能をエレベーター１が備える場合、異常の有無の判定は、例えば診断運転が終了した後に行われる。上記判定機能をデータセンター２が備える場合、異常の有無の判定は、例えばＳ１０５の処理の後に行われる。
【００３１】
図４は、制御装置１８の他の動作例を示すフローチャートである。制御装置１８では、保守端末４０との通信が可能であるか否かが判定される（Ｓ２０１）。
【００３２】
保守員は、定期的或いは不定期にエレベーター１の保守作業を行う。保守員は、保守作業を行う際に保守端末４０を携帯する。保守員は、保守端末４０を携帯して昇降路１２に入る。エレベーター１が機械室を備える場合、保守員は、保守端末４０を携帯して機械室に入る。
【００３３】
図５は、保守端末４０の例を示す図である。保守端末４０は、例えば温度計４１、及び通信部４２を備える。通信部４２は、制御装置１８と通信する。例えば、保守端末４０が制御装置１８に接続されると、Ｓ２０１でＹｅｓと判定される。通信部４２は、通信装置２６を介して制御装置１８と通信しても良い。通信部４２は、かご１０に備えられた機器を介して制御装置１８と通信しても良い。通信部４２は、制御装置１８と無線通信しても良い。
【００３４】
Ｓ２０１でＹｅｓと判定されると、制御装置１８では、保守端末４０が昇降路１２に存在するか否かが判定される（Ｓ２０２）。例えば、制御装置１８が昇降路１２に設けられ、保守端末４０が制御装置１８に有線接続されると、Ｓ２０２でＹｅｓと判定される。保守員が保守端末４０を携帯している場合、例えば昇降路１２に配置された特定のスイッチが操作されると、Ｓ２０２でＹｅｓと判定される。他の例として、かご１０の上に設けられた保守スイッチが操作されると、Ｓ２０２でＹｅｓと判定される。
【００３５】
Ｓ２０２でＹｅｓと判定されると、温度取得部３２は、温度計４１によって計測された温度の実測値を取得する（Ｓ２０３）。Ｓ２０３で取得される値は、昇降路１２の温度の実測値である。温度取得部３２によって取得された温度の実測値は、データセンター２に送信される（Ｓ２０４）。
【００３６】
図１に示すように、データセンター２は、例えば記憶部５０、変動算出部５１、推移特定部５２、及び通信部５３を備える。以下に、図６から図９も参照し、データセンター２が備える機能について説明する。図６は、データセンター２の動作例を示すフローチャートである。
【００３７】
データセンター２では、計測部３１が計測した値をエレベーター１から受信したか否かが判定される（Ｓ３０１）。Ｓ１０５でエレベーター１から送信された計測値は、通信部５３によって受信される。通信部５３は、エレベーター１から計測値を受信すると、受信した計測値を記憶部５０に記憶する（Ｓ３０２）。これにより、記憶部５０には、診断運転において計測部３１によって計測された値が記憶される。即ち、記憶部５０には、かご１０の動作に関する値及び特定の機器に関する値が記憶される。
【００３８】
診断運転は、例えば定期的に行われる。記憶部５０には、診断運転で計測されたバッテリー２５の最小電圧値Ｖｍｉｎが定期的に記憶される。他の例として、記憶部５０には、診断運転で計測されたかご１０の移動距離Ｌ１が定期的に記憶される。他の例として、記憶部５０には、診断運転で計測されたかご１０の移動距離Ｌ２が定期的に記憶される。
【００３９】
また、データセンター２では、温度取得部３２が取得した温度の実測値をエレベーター１から受信したか否かが判定される（Ｓ３０３）。Ｓ２０４でエレベーター１から送信された温度の実測値は、通信部５３によって受信される。通信部５３は、エレベーター１から温度の実測値を受信すると、受信した実測値を記憶部５０に記憶する（Ｓ３０４）。これにより、記憶部５０には、温度計４１によって計測された昇降路１２の温度の実測値が記憶される。保守員は、例えば定期的に保守作業を行う。記憶部５０には、温度計４１によって計測された昇降路１２の温度の実測値が定期的に記憶される。
【００４０】
図７は、データセンター２の他の動作例を示すフローチャートである。例えば、記憶部５０に、診断運転において計測されたバッテリー２５の最小電圧値Ｖｍｉｎが記憶されている。変動算出部５１は、記憶部５０からバッテリー２５の最小電圧値Ｖｍｉｎを読み出す（Ｓ４０１）。
【００４１】
図８は、バッテリー２５の最小電圧値Ｖｍｉｎの経時変化を示す図である。図８に示す曲線Ａは、あるエレベーターＡの診断運転において計測された最小電圧値Ｖｍｉｎの経時変化を示す。曲線Ｂは、他のエレベーターＢの診断運転において計測された最小電圧値Ｖｍｉｎの経時変化を示す。
【００４２】
図８に示すように、最小電圧値Ｖｍｉｎの経時変化には、長期変動成分と季節変動成分とが含まれる。長期変動成分は、主としてバッテリー２５の劣化に起因して発生する。例えば、バッテリー２５が劣化することにより、最小電圧値Ｖｍｉｎは時間の経過とともに徐々に小さな値になる。一方、季節変動成分は、主として、バッテリー２５が設置されている昇降路１２の温度の変化に起因して発生する。例えば、最小電圧値Ｖｍｉｎは、昇降路１２の温度が高くなる夏に大きな値になり、昇降路１２の温度が低くなる冬に小さな値になる。
【００４３】
変動算出部５１は、最小電圧値Ｖｍｉｎの経時変化から長期変動成分を除去することにより、経時変化の季節変動成分を算出する（Ｓ４０２）。例えば、変動算出部５１は、長期変動成分として、ある月に計測された最小電圧値と翌年の同じ月に計測された最小電圧値との差分を計算する。変動算出部５１は、複数月分の上記差分を平均した値を長期変動成分として計算しても良い。変動算出部５１は、ある年に計測された最小電圧値の最大値と翌年に計測された最小電圧値の最大値との差分を長期変動成分として計算しても良い。変動算出部５１は、ある年に計測された最小電圧値の最小値とその翌年に計測された最小電圧値の最小値との差分を長期変動成分として計算しても良い。また、変動算出部５１は、長期変動成分と周期変動成分とを有する予測モデルを統計的手法によって同定することにより、長期変動成分を求めても良い。上記予測モデルとして、例えば、１次関数又は２次関数で表現される成分と三角関数で表現される成分の合計として表現されるモデルを採用することができる。上記予測モデルとして、他のモデルを採用しても良い。
【００４４】
変動算出部５１は、Ｓ４０２において季節変動成分の周期と振幅とを算出しても良い。算出された季節変動成分の振幅は、昇降路１２の夏の温度と冬の温度との差に対応する。
【００４５】
次に、推移特定部５２は、記憶部５０から昇降路１２の温度の実測値を読み出す（Ｓ４０３）。推移特定部５２は、Ｓ４０２で算出された最小電圧値Ｖｍｉｎの経時変化の季節変動成分とＳ４０３で読み出した温度の実測値とに基づいて、昇降路１２の温度推移を特定する（Ｓ４０４）。
【００４６】
図９は、推移特定部５２の機能を説明するための図である。例えば、記憶部５０に、最小電圧値Ｖｍｉｎの経時変化の季節変動成分を相対的温度推移に変換するための第１変換テーブルが予め記憶される。推移特定部５２は、第１変換テーブルを用いることにより、Ｓ４０２で算出された季節変動成分を相対的温度推移に変換する。また、推移特定部５２は、Ｓ４０３で読み出した温度の実測値に基づいて、相対的温度推移のオフセット値を決定する。これにより、推移特定部５２は、昇降路１２の絶対的な温度推移を特定する。以下においては、絶対的な温度推移のことを単に「温度推移」という。
【００４７】
図９では、推移特定部５２によって特定される昇降路１２の温度推移を曲線Ｃで示している。曲線Ｃを特定することができれば、過去及び未来の特定の日の昇降路１２の温度を推定することができる。なお、保守員が訪問した時に実測された温度と上記推定された温度とが一致しない場合は、確率モデルによって実際の温度を求めても良い。
【００４８】
本実施の形態に示す例では、バッテリー２５の最小電圧値Ｖｍｉｎを用いて、昇降路１２の温度推移を特定する。バッテリー２５の最小電圧値Ｖｍｉｎは、診断運転において計測される値である。このため、本実施の形態に示す例であれば、新たな計測器を常設することなく、昇降路１２の温度推移を特定できる。保守点検において、保守員の保守項目が増えることもない。
【００４９】
本実施の形態では、昇降路１２の温度推移を特定するために、バッテリー２５の最小電圧値Ｖｍｉｎを用いる例について説明した。これは一例である。上述した特定方法と同様の方法により、かご１０の移動距離Ｌ１を用いて昇降路１２の温度推移を特定しても良い。かご１０の移動距離Ｌ２を用いて昇降路１２の温度推移を特定しても良い。なお、バッテリー２５は、通常運転で使用される機器ではない。このため、バッテリー２５の最小電圧値Ｖｍｉｎを用いる場合は、かご１０の走行回数等の影響を受けることなく昇降路１２の温度推移を特定できるといった利点がある。
【００５０】
本実施の形態では、昇降路１２の温度の実測値を用いて、昇降路１２の温度推移を特定する例について説明した。昇降路１２は、機器が設置されるエレベーター空間の一例である。エレベーター１が機械室を備える場合、エレベーター空間は機械室であっても良い。即ち、推移特定部５２は、温度計４１によって計測された機械室の温度の実測値を用いて、機械室の温度推移を特定しても良い。かかる場合、Ｓ２０２において、保守端末４０が機械室に存在するか否かが判定される。Ｓ２０２でＹｅｓと判定されると、温度取得部３２は、温度計４１によって計測された温度の実測値を取得する。
【００５１】
なお、昇降路１２の温度と機械室の温度との差は、比較的小さいことが多い。このため、推移特定部５２は、温度計４１によって計測された昇降路１２の温度の実測値を用いて、機械室の温度推移を特定しても良い。推移特定部５２は、温度計４１によって計測された機械室の温度の実測値に基づいて、昇降路１２の温度推移を特定しても良い。即ち、推移特定部５２は、温度計４１によって計測されたエレベーター空間の温度の実測値を用いて、エレベーター空間の温度推移を特定する。
【００５２】
次に、データセンター２に備えられた温度推移特定機能を利用して、保守計画システムを構築する例について説明する。図１０は、データセンター２の他の例を示す図である。図１０に示すデータセンター２は、記憶部５０、変動算出部５１、推移特定部５２、及び通信部５３に加え、例えば寿命算出部５４、及び判定部５５を更に備える。図１１は、データセンター２の他の動作例を示す図である。図１１に示す動作は、例えば図７に示す動作の後に行われる。
【００５３】
Ｓ４０４でエレベーター空間の温度推移が特定されると、寿命算出部５４は、そのエレベーター空間に配置された部品の寿命を算出する（Ｓ５０１）。例えば、寿命算出部５４は、推移特定部５２によって特定された温度推移とかご１０の走行履歴とに基づいて部品劣化のシミュレーションを行い、その部品の寿命を算出する。かご１０の走行履歴は、かご１０の走行回数でも良いし、かご１０の走行距離でも良い。例えば、寿命算出部５４は、制御装置１８の内部に配置された電気部品の寿命を算出する。寿命算出部５４は、ベルト等の樹脂部品の寿命を算出しても良い。
【００５４】
判定部５５は、部品の点検時期を判定する（Ｓ５０２）。判定部５５は、寿命算出部５４によって算出された部品の寿命に基づいて、点検時期の判定を行う。判定部５５は、Ｓ５０２において部品の交換時期を判定しても良い。これにより、部品の点検時期或いは交換時期に応じた適切な保守計画を作成することができる。
【００５５】
図１２は、データセンター２の他の例を示す図である。図１２に示すデータセンター２は、記憶部５０、変動算出部５１、推移特定部５２、及び通信部５３に加え、例えばカテゴリー決定部５６、及び判定部５５を更に備える。図１３は、データセンター２の他の動作例を示す図である。図１３に示す動作は、例えば図７に示す動作の後に行われる。
【００５６】
Ｓ４０４でエレベーター空間の温度推移が特定されると、カテゴリー決定部５６は、そのエレベーター空間が属する環境カテゴリーを決定する（Ｓ６０１）。例えば、エレベーター１が設置されているビルの構造により、そのエレベーター空間の環境は異なる。また、エレベーター１が設置されている位置及び向きにより、そのエレベーター空間の環境は異なる。例えば、エレベーター１が大規模ビルの中央部に設置されている場合、そのエレベーター空間の温度は年間を通して一定である。また、外気が入りやすい位置にエレベーター１が設置されている場合、そのエレベーター空間の温度は外気温度に影響され易い。エレベーター１が所謂シースルーエレベーターであり且つ直射日光を受ける位置に設置されている場合、そのエレベーター空間の温度は、外気温度の変化より大きく変化する。
【００５７】
図１２及び図１３に示す例では、複数の環境カテゴリーが予め設定される。また、エレベーター空間が属する環境カテゴリーを決定するための第１分類条件が予め設定される。カテゴリー決定部５６は、推移特定部５２によって特定された温度推移と第１分類条件とに基づいて、環境カテゴリーの決定を行う。例えば、カテゴリー決定部５６は、特定された温度推移から最高温度、最低温度、推移の周期、及び推移の振幅といった特徴量を算出する。カテゴリー決定部５６は、算出した特徴量を第１分類条件に当てはめ、環境カテゴリーを決定する。
【００５８】
判定部５５は、部品の点検時期を判定する（Ｓ６０２）。判定部５５は、カテゴリー決定部５６によって決定されたエレベーター空間の環境カテゴリーに基づいて、そのエレベーター空間に配置された部品の点検時期を判定する。例えば、部品の点検周期が環境カテゴリーごとに予め設定される。判定部５５は、Ｓ６０２において部品の交換時期を判定しても良い。これにより、部品の点検時期或いは交換時期に応じた適切な保守計画を作成することができる。
【００５９】
図１４は、データセンター２の他の例を示す図である。図１４に示すデータセンター２は、記憶部５０、変動算出部５１、推移特定部５２、及び通信部５３に加え、例えばカテゴリー決定部５６、推移特定部５７、寿命算出部５４、及び判定部５５を更に備える。図１５は、データセンター２の他の動作例を示す図である。図１５に示す動作は、例えば図７に示す動作の後に行われる。
【００６０】
Ｓ４０４でエレベーター空間の温度推移が特定されると、カテゴリー決定部５６は、そのエレベーター空間が属する環境カテゴリーを決定する（Ｓ７０１）。図１４及び図１５に示す例では、カテゴリー決定部５６は、推移特定部５２によって特定された温度推移と外気温度との差に基づいて、環境カテゴリーの決定を行う。外気温度は、例えば気象庁等の外部機関から入手することができる。カテゴリー決定部５６は、温度推移から推定されるある日のエレベーター空間の温度とその日の外気温度との差に基づいて、環境カテゴリーを決定する。
【００６１】
例えば、エレベーター空間に空調装置が設けられている場合、上記差は季節によって変動する。外気が入りやすい位置にエレベーター１が設置されている場合、上記差は年間を通して比較的小さくなる。昇降路１２を形成する壁の材質によっても上記差は変動する。
【００６２】
図１４及び図１５に示す例では、複数の環境カテゴリーが予め設定される。また、エレベーター空間が属する環境カテゴリーを決定するための第２分類条件が予め設定される。カテゴリー決定部５６は、例えば、上記差と第２分類条件とに基づいて、環境カテゴリーの決定を行う。
【００６３】
また、図１４及び図１５に示す例では、記憶部５０に、環境カテゴリー別の第２変換テーブルが予め記憶される。第２変換テーブルは、外気湿度をエレベーター空間の湿度に変換するためのテーブルである。例えば、第２変換テーブルを作成するため、様々なエレベーター空間の湿度が実際に計測される。第２変換テーブルは、外気湿度とエレベーター空間の湿度の実測値とを用いて事前に作成され、記憶部５０に記憶される。外気湿度は、例えば気象庁等の外部機関から入手することができる。
【００６４】
推移特定部５７は、カテゴリー決定部５６が決定した環境カテゴリーに基づいて、エレベーター空間の湿度推移を特定する。図１６は、推移特定部５７の機能を説明するための図である。図１６は、ビルに空調設備が備えられているが昇降路１２には空調設備が備えられていない環境カテゴリーの第２変換テーブルを用いて、湿度推移が特定された例を示す。例えば、推移特定部５７は、記憶部５０から対応の第２変換テーブルを読み出す（Ｓ７０２）。即ち、推移特定部５７は、Ｓ７０２において、カテゴリー決定部５６が決定した環境カテゴリーに対応する第２変換テーブルを記憶部５０から読み出す。推移特定部５７は、読み出した第２変換テーブルを用いて、エレベーター空間の湿度推移を特定する（Ｓ７０３）。
【００６５】
Ｓ７０３でエレベーター空間の湿度推移が特定されると、寿命算出部５４は、そのエレベーター空間に配置された部品の寿命を算出する（Ｓ７０４）。例えば、寿命算出部５４は、推移特定部５２によって特定された温度推移と推移特定部５７によって特定された湿度推移とかご１０の走行履歴とに基づいて部品劣化のシミュレーションを行い、その部品の寿命を算出する。かご１０の走行履歴は、かご１０の走行回数でも良いし、かご１０の走行距離でも良い。
【００６６】
判定部５５は、部品の点検時期を判定する（Ｓ７０５）。判定部５５は、寿命算出部５４によって算出された部品の寿命に基づいて、点検時期の判定を行う。判定部５５は、Ｓ７０５において部品の交換時期を判定しても良い。これにより、部品の点検時期或いは交換時期に応じた適切な保守計画を作成することができる。
【００６７】
本実施の形態では、温度推移特定機能がデータセンター２に備えられる例について説明した。上述した温度推移特定機能は、エレベーター１に備えられても良い。温度推移機能の一部がエレベーター１に備えられても良い。
【００６８】
本実施の形態において、符号３０〜３２に示す各部は、制御装置１８が有する機能を示す。図１７は、制御装置１８のハードウェア資源の例を示す図である。制御装置１８は、ハードウェア資源として、例えばプロセッサ６１とメモリ６２とを含む処理回路６０を備える。制御装置１８は、メモリ６２に記憶されたプログラムをプロセッサ６１によって実行することにより、符号３０〜３２に示す各部の機能を実現する。
【００６９】
プロセッサ６１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ６２として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００７０】
図１８は、制御装置１８のハードウェア資源の他の例を示す図である。図１８に示す例では、制御装置１８は、例えばプロセッサ６１、メモリ６２、及び専用ハードウェア６３を含む処理回路６０を備える。図１８は、制御装置１８が有する機能の一部を専用ハードウェア６３によって実現する例を示す。制御装置１８が有する機能の全部を専用ハードウェア６３によって実現しても良い。専用ハードウェア６３として、単一回路、複合回路、プログラム化したプロセッサ、並列プログラム化したプロセッサ、ＡＳＩＣ、ＦＰＧＡ、又はこれらの組み合わせを採用できる。
【００７１】
同様に、符号５０〜５７に示す各部は、データセンター２が有する機能を示す。データセンター２のハードウェア資源は、図１７に示す例と同様である。データセンター２は、ハードウェア資源として、例えばプロセッサとメモリとを含む処理回路を備える。記憶部５０が有する機能は、上記メモリによって実現される。データセンター２は、メモリに記憶されたプログラムをプロセッサによって実行することにより、符号５０〜５７に示す各部の機能を実現する。データセンター２は、ハードウェア資源として、プロセッサ、メモリ、及び専用ハードウェアを含む処理回路を備えても良い。また、データセンター２が有する機能の全部を専用ハードウェアによって実現しても良い。
【産業上の利用可能性】
【００７２】
特定された温度推移を利用し、エレベーター空間に配置された空調設備を制御することも可能である。
【符号の説明】
【００７３】
１  エレベーター、  ２  データセンター、  ３  通信ネットワーク、  １０  かご、  １１  つり合いおもり、  １２  昇降路、  １３  主ロープ、  １４  巻上機、  １５  駆動綱車、  １６  電動機、  １７  ブレーキ装置、  １８  制御装置、  １９  調速機、  ２０  非常止め、  ２１  調速ロープ、  ２２  調速綱車、  ２３  張り車、  ２４  安全装置、  ２５  バッテリー、  ２６  通信装置、  ３０  運転制御部、  ３１  計測部、  ３２  温度取得部、  ４０  保守端末、  ４１  温度計、  ４２  通信部、  ５０  記憶部、  ５１  変動算出部、  ５２  推移特定部、  ５３  通信部、  ５４  寿命算出部、  ５５  判定部、  ５６  カテゴリー決定部、  ５７  推移特定部、  ６０  処理回路、  ６１  プロセッサ、  ６２  メモリ、  ６３  専用ハードウェア
【図１】
2019244245.tif 000003
【図２】
2019244245.tif 000004
【図３】
2019244245.tif 000005
【図４】
2019244245.tif 000006
【図５】
2019244245.tif 000007
【図６】
2019244245.tif 000008
【図７】
2019244245.tif 000009
【図８】
2019244245.tif 000010
【図９】
2019244245.tif 000011
【図１０】
2019244245.tif 000012
【図１１】
2019244245.tif 000013
【図１２】
2019244245.tif 000014
【図１３】
2019244245.tif 000015
【図１４】
2019244245.tif 000016
【図１５】
2019244245.tif 000017
【図１６】
2019244245.tif 000018
【図１７】
2019244245.tif 000019
【図１８】
2019244245.tif 000020
【国際調査報告】
2019244245.tif 000021
2019244245.tif 000022
2019244245.tif 000023
2019244245.tif 000024